(57)【要約】      （修正有）【課題】展示物をそのまま市販のバインダ等（多穴用リング状バインダなど）に収納することができるディスプレイを提供する。【解決手段】壁面やガラス面に固定されるベース部材１０１と、該ベース部材１０１の前面に水平に立設された複数のピン部材１０３を有し、該ピン部材１０３を、帳票設計基準（ＪＩＳ  Ｚ  ８３０３規格）のとじ穴に対応する位置に立設することにより、前記基準に対応したとじ穴を有するシートをそのまま保持することができる。【選択図】図２
0003170224.tif 000002
【実用新案登録請求の範囲】
【請求項１】
壁面やガラス面に固定されるベース部材と、
当該ベース部材の前面に水平若しくは水平よりも上向きとなるように立設された複数のピン部材を有し、
当該ピン部材が、帳票設計基準のとじ穴に対応する位置に立設されていることにより、前記基準に対応したとじ穴を有するシートを保持することができる
ことを特徴とするディスプレイ。
【請求項２】
請求項１において、
前記ピン部材の頭部を覆うことによって前記シートの脱落を防止する脱落防止部材が備わる
ことを特徴とするディスプレイ。
【請求項３】
請求項２において、
前記脱落防止部材が前記ベース部材から軸支され、回動することによって前記ピン部材の頭部を覆い隠すカバー部材である
ことを特徴とするディスプレイ。
【請求項４】
請求項３において、
前記カバー部材を閉じ方向に付勢する付勢部材が備わっている
ことを特徴とするディスプレイ。
【考案の詳細な説明】
【技術分野】
【０００１】
本考案は、壁面やガラス面などに取り付けて使用するディスプレイであって、特に、市販の多穴ルーズリーフや多穴クリアファイルなどをそのまま取り付けて展示することを可能としたディスプレイに関する。
【背景技術】
【０００２】
従来から、紙片を壁面等に展示するにあたって様々な手法が用いられてきた。例えば特許文献１においては紙片の上下端を挟持する一対の挟持部を設け、紙片を挟持した上で壁面に取り付けるホルダが開示されている。
【０００３】
また特許文献２においては、合成樹脂製の台シートと透明シートを重ねて周縁を溶着してポケットを形成し、この溶着部分を利用して壁面に取り付けたり、連結して展示するという展示用ホルダが開示されている。
【先行技術文献】
【特許文献】
【０００４】
【特許文献１】特開２００６−２２１１２６号公報
【特許文献２】実用新案登録第３０９２７２０号公報
【考案の概要】
【考案が解決しようとする課題】
【０００５】
しかしながら、これらの技術の場合、紙片等を展示することはできても展示物をストックしておく場合に別のファイルに入れ替えたり、専用の収納具を用意する必要がある。
【０００６】
本考案は、これらの問題点を解決するべくなされたものであって、展示物をそのまま市販のバインダ等（リング状バインダなど）に収納することができるディスプレイを提供するものである。
【課題を解決するための手段】
【０００７】
上記課題を解消するべく、本考案は、壁面やガラス面に固定されるベース部材と、当該ベース部材の前面に水平若しくは水平よりも上向きとなるように立設された複数のピン部材を有し、当該ピン部材が、帳票設計基準のとじ穴に対応する位置に立設されていることにより、前記基準に対応したとじ穴を有するシートを保持できることを特徴とする。
【０００８】
このように構成したことによって、帳票設計基準（例えばＪＩＳ  Ｚ  ８３０３規格）に対応した市販のルーズリーフやクリアファイルなどをそのままピン部材に取り付けて展示することが可能となった。即ち、展示したものを取り外して「そのまま」市販の多穴リングバインダ等を利用して保管・収納しておくことが可能となる。また展示するシートの交換も極めて容易である。更に展示しているシートを裏返すことで異なる内容の展示を実現できるので、例えば時間帯に応じて展示内容を変更したい場合など交換するシートを持ち歩かなくとも展示内容の変更を実現することもできる。
【０００９】
また、前記ピン部材の頭部を覆うことによって前記シートの脱落を防止する脱落防止部材が備わるように構成してもよい。
【００１０】
このように構成すれば、ピン部材に取り付けて展示するシートの脱落を防止することができる。
【００１１】
また、前記脱落防止部材が前記ベース部材から軸支され、回動することによって前記ピン部材の頭部を覆い隠すカバー部材として構成してもよい。
【００１２】
このように構成すれば、脱落防止の実現が容易であると共に、ピン部材の頭部を損傷から保護できることに加えて、ピン部材との接触による怪我などを未然に防止することができる。
【００１３】
また、前記カバー部材を閉じ方向に付勢する付勢部材を備えた構成としてもよい。
【００１４】
このように構成すれば、常時付勢部材によりカバー部材が閉じられる方向に付勢されているので、カバーを閉じ忘れることがなく、シートの脱落防止、ピン部材の頭部の保護、ピン部材との接触による怪我防止を確実に実現することができる。
【考案の効果】
【００１５】
本考案により、展示物をそのまま市販のバインダ等に収納することができ、展示物の入れ替えも容易となる。
【図面の簡単な説明】
【００１６】
【図１】本考案の実施形態の一例を示したカバーが閉じた状態のディスプレイ概略構成図であって、（ａ）が正面図、（ｂ）が右側面図である。
【図２】同カバーが開いた状態のディスプレイ概略構成図であって、（ａ）が正面図、（ｂ）が右側面図である。
【図３】本考案に係るディスプレイに取り付けたクリアファイルを市販多穴バインダとの間で相互に取り付け取り外し可能な状態を示した関係図である。
【図４】本考案の他の実施形態を示した斜視図である。
【考案を実施するための形態】
【００１７】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１８】
〈ディスプレイの構成〉
図１及び図２に示しているように、本考案に係るディスプレイ１００は横方向を長手方向とする長尺形状に構成されている。壁面やガラス面等に固定される平板状のベース部材１０１と、このベース部材１００の前面に水平に且つ所定の間隔で横並びに立設された３０本のピン部材１０３を有している。このピン部材１０３は、ＪＩＳ  Ｚ  ８３０３規格（帳票設計基準）のとじ穴に対応する位置に立設されている。
【００１９】
ベース部材１０１の上面両側端は一部切り欠かれた切り欠き部１０１ａが形成されており、当該切り欠き部１０１ａを左右方向に繋ぐように貫通した貫通孔が形成され、且つ、当該貫通孔に金属製ロッド１０５が挿通している。またベース部材１０１の正面側には正面視、上下方向の略中程の位置に、横方向に一列にピン部材１０３が配置されている。
【００２０】
ピン部材１０３は、本実施形態においてはベース部材１０１と樹脂による一体成形により実現されている。もちろんピン部材の部分のみ金属等で構成してもよい。また、本実施形態においては、ＪＩＳ  Ｚ  ８３０３規格（帳票設計基準）のＡ４用紙の長手方向のサイズ（３０穴）に合うように、３０本のピン部材１０３が立設されている。もちろんこの数に関してもその他の用紙サイズの穴数（１３穴、１８穴、２０穴、２６穴、３６穴）に合うような本数に変更することも可能である。
【００２１】
またカバー部材１０２は、閉じた状態で天井面に位置する天板部１０２ａと当該天板部の正面端から直角に下方向に垂設される前面部１０２ｂとから構成される。天板部１０１ａの奥側（前面部１０２ｂが垂設されていない側）の両端に凸部１０２ｃが設けられている。この凸部１０２Ｃにも左右方向に貫通する貫通孔が設けられている。凸部１０２ｃは丁度ベース部材１０２の切り欠き部１０１ａと嵌合する形状とされていて、金属製ロッド１０５によって支持されている。即ち、金属製ロッド１０５によって、ベース部材１０１から当該ベース部材１０１に対して回動可能に軸支されている。
【００２２】
このようにカバー部材１０２を側面視「Ｌ字」状の天板部１０２ａと前面部１０２ｂという構成としたことによって、カバー部材１０２を閉じると前面部１０２ｂの裏面がピン部材１０３の頭部端面に接触してカバーする構成となっている。
【００２３】
〈ディスプレイの作用・機能〉
本考案に係るディスプレイ１００は、壁面やガラス面などに取り付けて使用する。具体的にはベース部材１０１の裏面に両面テープを貼付して取り付ける。もちろん用途や場所等に応じてネジなどで取り付けてもよく、壁面等への固定手段は特に限定されない。なおネジ等により固定する場合は、予めベース部材１０１にネジを貫通させるための穴を設けておいてもよい。
【００２４】
図３に示しているように、展示したい広告物１３０がある場合、この広告物１３０を市販のクリアファイル（シート）１２０に入れておく。その上で、カバー部材１０２を上方に開いてピン部材１０３を露出させ、クリアファイル１２０に設けられている多穴にピン部材１０３を差し込んで保持させカバー部材１０２を閉じる。
【００２５】
本考案に係るディスプレイ１００のピン部材１０３は、ＪＩＳ  Ｚ  ８３０３規格（帳票設計基準）のとじ穴に対応する位置に立設されているので、当該基準に対応した市販のクリアファイル１２０（クリアファイルのみならず市販の多穴式ルーズリーフ等をそのまま展示してもよい。）をそのままディスプレイ１００に取り付けて展示することが可能である。換言すると、展示したものを取り外して「そのまま」市販の多穴用リングバインダ等を利用して保管・収納しておくことが可能となる。また展示するシートの交換も極めて容易である。更に展示しているシート裏返すことで異なる内容の展示を実現できるので、例えば時間帯に応じて展示内容を変更したい場合など交換するシートを持ち歩かなくとも展示内容の変更を実現することもできる。
【００２６】
またカバー部材（脱落防止部材）１０２の存在によって、クリアファイル１２０の脱落防止の実現が容易であると共に、ピン部材１０３の頭部を損傷から保護できることに加えて、ピン部材１０３との接触による怪我などを未然に防止している。
【００２７】
また図示していないが、カバー部材１０２を常に閉じ方向側に付勢する付勢部材（例えばカバー部材１０２といベース部材１０１に跨がってバネを架設する等）を備えておけば、常時このバネ（付勢部材）によりカバー部材１０２が閉じられる方向に付勢されているので、カバー部材１０２を閉じ忘れることがなく、クリアファイル１２０の脱落防止、ピン部材１０３の頭部の保護、ピン部材１０３との接触による怪我防止を確実に実現することができる。
【００２８】
〈その他の構成例〉
上記では、クリアファイル１２０の一辺側のみを固定するという手法で展示していたが、図４に示しているように、ディスプレイ１００を上下反転させて下方にも設置し、クリアファイル１２０を上下から保持固定するような使用も可能である。このようにすれば、展示物が風などにより靡いて破損してしまったり、展示内容が見え難くなるといった問題を解消することができる。
【符号の説明】
【００２９】
１００・・・ディスプレイ
１０１・・・ベース部材
１０２・・・カバー部材（脱落防止部材）
１０３・・・ピン部材
１０５・・・金属製ロッド
【図１】
0003170224.tif 000003
【図２】
0003170224.tif 000004
【図３】
0003170224.tif 000005
【図４】
0003170224.tif 000006